(57)【要約】【課題】  送信端末装置が複数のページで構成されるメッセージを送信した際に、受信端末装置がそのメッセージの内容を表示できるようにする。【解決手段】  メッセージ制御装置２０が、送信端末装置であるＭＭＳ端末３０ａから送信された複数ページメッセージを受信して１ページメッセージに変換し、変換後の１ページメッセージを受信端末装置である移動端末１０ａに送信する。【選択図】図１
2005115839.tif 000002
【特許請求の範囲】
【請求項１】
複数のページで構成される複数ページメッセージを送信端末装置から受信する受信手段と、
該受信手段が受信した複数ページメッセージを、１ページで構成される１ページメッセージに変換する変換手段と、
該変換手段が変換した１ページメッセージを、受信端末装置に送信する送信手段と
を備えることを特徴とするメッセージ変換装置。
【請求項２】
前記変換手段は、前記複数ページメッセージを、前記複数のページを１ページに統合したページ統合メッセージ、又は、前記複数ページメッセージをページ毎に分割した複数のページ単位メッセージの少なくとも１つに変換することを特徴とする請求項１に記載のメッセージ変換装置。
【請求項３】
前記変換手段は、前記１ページメッセージに、前記複数ページメッセージにおけるページ構成を示すページ構成表示を付加することを特徴とする請求項１又は２に記載のメッセージ変換装置。
【請求項４】
複数のページで構成される複数ページメッセージを送信端末装置から受信する受信手段と、
該受信手段が受信した複数ページメッセージを、１ページで構成される１ページメッセージに変換する変換手段と、
該変換手段が変換した１ページメッセージを表示する表示手段と
を備えることを特徴とする端末装置。
【請求項５】
コンピュータを、
複数のページで構成される複数ページメッセージを送信端末装置から受信する受信手段と、
該受信手段が受信した複数ページメッセージを、１ページで構成される１ページメッセージに変換する変換手段と、
該変換手段が変換した１ページメッセージを、受信端末装置に送信する送信手段として機能させるためのメッセージ変換プログラム。
【請求項６】
コンピュータを、
複数のページで構成される複数ページメッセージを送信端末装置から受信する受信手段と、
該受信手段が受信した複数ページメッセージを、１ページで構成される１ページメッセージに変換する変換手段と、
該変換手段が変換した１ページメッセージを表示する表示手段として機能させるためのメッセージ変換プログラム。
【請求項７】
複数のページで構成される複数ページメッセージを送信端末装置から受信し、
該受信した複数ページメッセージを、１ページで構成される１ページメッセージに変換し、
該変換した１ページメッセージを、受信端末装置に送信することを特徴とするメッセージ変換方法。
【発明の詳細な説明】
【技術分野】
【０００１】
本発明は、メッセージ変換装置、端末装置、メッセージ変換プログラム及びメッセージ変換方法に関する。
【背景技術】
【０００２】
従来、受信した電子メールを、受信端末の能力に合うように変換して送信することにより、受信端末に最適な情報を提供する情報提供装置が提案されている（例えば、特許文献１参照）。情報提供装置は、例えば、画像データを受信端末で表示可能な形式に変換して送信する。
【特許文献１】特開２００２−４１４１２号公報
【発明の開示】
【発明が解決しようとする課題】
【０００３】
しかしながら、従来の情報提供装置は、メッセージのページ構成については考慮しておらず、ページ構成については変換せずに送信していた。そのため、送信端末装置が複数のページで構成されるメッセージを送信し、受信端末装置が複数のページで構成されるメッセージを処理できないときに、受信端末装置はメッセージの内容の一部又は全部を表示できない場合があった。又、受信端末装置の能力によっては、メッセージの一部又は全部を受信できない場合もあった。
【０００４】
そこで、本発明は、送信端末装置が複数のページで構成されるメッセージを送信した際に、受信端末装置がそのメッセージの内容を表示できるようにすることを目的とする。
【課題を解決するための手段】
【０００５】
本発明に係るメッセージ変換装置は、複数のページで構成されるメッセージ（以下「複数ページメッセージ」という）を送信端末装置から受信する受信手段と、受信手段が受信した複数ページメッセージを、１ページで構成されるメッセージ（以下「１ページメッセージ」という）に変換する変換手段と、変換手段が変換した１ページメッセージを、受信端末装置に送信する送信手段とを備えることを特徴とする。
【０００６】
このようなメッセージ変換装置によれば、送信端末装置から送信された複数ページメッセージを受信して１ページメッセージに変換し、変換後の１ページメッセージを受信端末装置に送信できる。そのため、送信端末装置が複数ページメッセージを送信し、受信端末装置が複数ページメッセージを処理できない場合であっても、受信端末装置は、メッセージ変換装置から変換後の１ページメッセージを受信して表示することにより、複数ページメッセージの内容を表示することができる。
【０００７】
変換手段は、複数ページメッセージを、複数のページを１ページに統合したページ統合メッセージ、又は、複数ページメッセージをページ毎に分割した複数のページ単位メッセージの少なくとも１つに変換することが好ましい。ページ統合メッセージによれば、メッセージの数を増やすことなく変換できるため、トラフィックの増大を抑制できる利点がある。ページ単位メッセージによれば、受信端末装置が、受信可能な容量や表示処理可能な容量といった制約から複数ページメッセージを処理できない場合に、対応できる利点がある。
【０００８】
更に、変換手段は、変換後の１ページメッセージに、変換前の複数ページメッセージにおけるページ構成を示すページ構成表示を付加することが好ましい。これによれば、受信側ではページ構成表示から変換前の複数ページメッセージのページ構成を知ることができる。そのため、メッセージ変換装置は、送信側の意思を受信側に伝えることができる。
【０００９】
本発明に係る端末装置は、複数ページメッセージを送信端末装置から受信する受信手段と、受信手段が受信した複数ページメッセージを、１ページメッセージに変換する変換手段と、変換手段が変換した１ページメッセージを表示する表示手段とを備えることを特徴とする。
【００１０】
このような端末装置によれば、送信端末装置から送信された複数ページメッセージを受信して１ページメッセージに変換し、変換後の１ページメッセージを表示できる。そのため、送信端末装置が複数ページメッセージを送信し、受信端末装置が複数ページメッセージの表示処理をできない場合であっても、受信端末装置は、変換後の１ページメッセージを表示することにより、複数ページメッセージの内容を表示することができる。
【００１１】
本発明に係るメッセージ変換プログラムは、コンピュータを、複数ページメッセージを送信端末装置から受信する受信手段と、受信手段が受信した複数ページメッセージを、１ページメッセージに変換する変換手段と、変換手段が変換した１ページメッセージを、受信端末装置に送信する送信手段として機能させるためのプログラムである。
【００１２】
又、本発明に係る他のメッセージ変換プログラムは、コンピュータを、複数ページメッセージを送信端末装置から受信する受信手段と、受信手段が受信した複数ページメッセージを、１ページメッセージに変換する変換手段と、変換手段が変換した１ページメッセージを表示する表示手段として機能させるためのプログラムである。
【００１３】
本発明に係るメッセージ変換方法は、複数ページメッセージを送信端末装置から受信し、受信した複数ページメッセージを、１ページメッセージに変換し、変換した１ページメッセージを、受信端末装置に送信することを特徴とする。
【発明の効果】
【００１４】
以上説明したように、本発明によれば、送信端末装置が複数のページで構成されるメッセージを送信した際に、受信端末装置がそのメッセージの内容を表示できる。
【発明を実施するための最良の形態】
【００１５】
〔通信システム〕
図１に示すように、通信システム１は、第１メッセージングシステム１０と、メッセージ制御装置２０と、第２メッセージングシステム３０とを備える。通信システム１は、異なるシステム、第１メッセージングシステム１０と第２メッセージングシステム３０とを、メッセージ制御装置２０を介して接続して構成される。尚、第１メッセージングシステム１０と第２メッセージングシステム３０との接続の仕方に制約はない。
【００１６】
第１メッセージングシステム１０は、移動端末１０ａと、無線基地局１０ｂと、移動通信網１０ｃと、メッセージサーバ１０ｄとを備える。第２メッセージングシステム３０は、マルチメディアメッセージングサービス（Multimedia  Messaging  Service、以下「ＭＭＳ」と表す）端末３０ａと、無線基地局３０ｂと、移動通信網３０ｃと、ＭＭＳリレー／サーバ３０ｄとを備える。
【００１７】
移動端末１０ａは、無線基地局１０ｂを介して移動通信網１０ｃに接続し、メッセージサーバ１０ｄとメッセージなどを送受信する。そして、移動端末１０ａは、メッセージサーバ１０ｄを介して、ＭＭＳ端末３０ａやメッセージ制御装置２０とメッセージなどを送受信する。本実施形態では、第１メッセージングシステム１０は、複数ページメッセージを採用しておらず、複数ページメッセージを処理できない。そのため、移動端末１０ａは、複数ページメッセージの表示処理や受信処理をできず、１ページメッセージしか処理することができない。メッセージサーバ１０ｄは、メッセージ制御装置２０を介してＭＭＳリレー／サーバ３０ｄとメッセージを送受信する。又、メッセージサーバ１０ｄは、移動通信網１０ｃを介して移動端末１０ａとメッセージを送受信する。メッセージサーバ１０ｄは、例えば、ｉ−ｍｏｄｅ（登録商標）サーバを用いることができる。移動端末１０ａは、例えば、ｉ−ｍｏｄｅ（登録商標）端末を用いることができる。
【００１８】
ＭＭＳ端末３０ａは、無線基地局３０ｂを介して移動通信網３０ｃに接続し、ＭＭＳリレー／サーバ３０ｄとメッセージなどを送受信する。そして、ＭＭＳ端末３１０ａは、ＭＭＳリレー／サーバ３０ｄを介して、移動端末１０ａやメッセージ制御装置２０とメッセージなどを送受信する。第２メッセージングシステム３０は、複数ページメッセージを採用しており、複数ページメッセージを処理可能である。そのため、ＭＭＳ端末３０ａも、複数ページメッセージを処理することができる。ＭＭＳリレー／サーバ３０ｄは、メッセージ制御装置２０を介してメッセージサーバ１０ｄとメッセージを送受信する。又、ＭＭＳリレー／サーバ３０ｄは、移動通信網３０ｃを介してＭＭＳ端末３０ａとメッセージを送受信する。
【００１９】
メッセージ制御装置２０は、複数ページメッセージを送信端末装置から受信し、受信した複数ページメッセージを１ページメッセージに変換して、受信端末装置に送信するメッセージ変換装置である。メッセージ制御装置２０は、第１メッセージングシステム１０と第２メッセージングシステム３０との間でメッセージを中継する。以下、ＭＭＳ端末３０ａが送信端末装置となり、移動端末１０ａが受信端末装置となる場合を例にとって説明する。
【００２０】
図２に示すようにメッセージ制御装置２０は、メッセージサーバインタフェース２１と、ＭＭＳリレー／サーバインタフェース２２と、ユーザ情報データベース２３と、端末情報データベース２４と、制御部２５と、メッセージ格納部２６とを備える。
【００２１】
ＭＭＳリレー／サーバインタフェース２２は、ＭＭＳリレー／サーバ３０ｄとのインタフェースである。ＭＭＳリレー／サーバインタフェース２２は、複数ページメッセージを送信端末装置から受信する受信手段として機能する。ＭＭＳリレーサーバインタフェース２２は、ＭＭＳリレー／サーバ３０ｄを介してＭＭＳ端末３０ａから複数ページメッセージを受信する。ＭＭＳリレー／サーバインタフェース２２は、受信した複数ページメッセージを制御部２５に入力する。又、ＭＭＳリレー／サーバインタフェース２２は、受信端末装置にメッセージを送信したことを送信端末装置に通知する送達確認通知を送信する。ＭＭＳリレー／サーバインタフェース２２は、移動端末１０ａにメッセージを送信したことを通知する送達確認通知を、ＭＭＳ端末３０ａに送信する。ＭＭＳリレー／サーバインタフェース２２は、制御部２５から送達確認通知を取得し、ＭＭＳ端末３０ａへの送信の指示を受ける。ＭＭＳリレー／サーバインタフェース２２は、制御部２５の指示に従って、取得した送達確認通知をＭＭＳリレー／サーバ３０ｄを介して、ＭＭＳ端末３０ａに送信する。
【００２２】
メッセージサーバインタフェース２１は、メッセージサーバ１０ｄとのインタフェースである。メッセージサーバインタフェース２１は、変換手段が変換した１ページメッセージを、受信端末装置に送信する送信手段として機能する。メッセージサーバインタフェース２１は、制御部２５から変換後の１ページメッセージを取得し、移動端末１０ａへの送信の指示を受ける。メッセージサーバインタフェース２１は、制御部２５の指示に従って、メッセージサーバ１０ｄを介して移動端末１０ａに取得した１ページメッセージを送信する。又、メッセージサーバインタフェース２１は、メッセージサーバ１０ｄから、移動端末１０ａにメッセージを送信したことを通知するメッセージ送達通知を受信する。メッセージサーバインタフェース２１は、受信したメッセージ送達通知を制御部２５に入力する。
【００２３】
ユーザ情報データベース２３は、受信端末装置のユーザに関するユーザ情報を記憶するユーザ情報記憶手段である。ユーザ情報データベース２３は、ユーザ情報として、移動端末１０ａのユーザの電話番号、メールアドレス、ユーザが使用する移動端末１０ａを識別する端末識別データ、ユーザが希望する１ページメッセージの種類などを記憶する。端末識別データとしては、端末番号等を用いることができる。１ページメッセージの種類には、複数のページを１ページに統合したページ統合メッセージと、複数ページメッセージをページ毎に分割したページ単位メッセージがある。
【００２４】
端末情報データベース２４は、受信端末装置の性能を記憶する端末情報記憶手段である。端末情報データベース２４は、端末識別データに対応付けて、その移動端末１０ａの性能を記憶する。移動端末１０ａの性能には、複数ページメッセージ処理の可否、受信可能な容量、表示処理可能な容量などがある。表示処理可能な容量は、例えば、表示可能な画面サイズにより決定することができる。本実施形態では、第１メッセージングシステム１０が複数ページメッセージを採用していないため、全ての移動端末１０ａについて、複数ページメッセージの処理ができないことが記憶される。
【００２５】
制御部２５は、受信手段が受信した複数ページメッセージを、１ページメッセージに変換する変換手段である。制御部２５は、受信端末装置の性能に基づいて変換を行う。又、制御部２５は、複数ページメッセージを、ページ統合メッセージ又はページ単位メッセージの少なくとも１つに変換する。制御部２５は、ＭＭＳリレー／サーバインタフェース２２から、ＭＭＳ端末３０ａから受信した複数ページメッセージを取得する。制御部２５は、複数ページメッセージに含まれる送信先アドレスや送信先の電話番号に基づいて、ユーザ情報データベース２３を検索し、送信先のユーザが使用し、受信端末装置となる移動端末１０ａの端末識別データや、ユーザが希望する１ページメッセージの種類を取得する。制御部２５は、取得した端末識別データに基づいて、端末情報データベース２４を検索し、受信端末装置となる移動端末１０ａの性能を取得する。
【００２６】
制御部２５は、まず、複数ページメッセージ処理の可否に基づいて、１ページメッセージへの変換を行うか否かを判断する。制御部２５は、受信端末装置が複数ページメッセージを処理できない場合には、変換を行うと判断する。一方、制御部２５は、受信端末装置が複数ページメッセージを処理できる場合には変換を行わないと判断する。本実施形態では、移動端末１０ａへの複数ページメッセージは全て変換を行うと判断される。
【００２７】
次に、制御部２５は、取得した性能と受信した複数ページメッセージに基づいて変換する１ページメッセージの種類を決定し、決定した種類の１ページメッセージ変換する。例えば、受信した複数ページメッセージの容量が、移動端末１０ａが受信可能な容量や表示処理可能な容量を越える場合には、制御部２５は、ページ単位メッセージに決定する。一方、受信した複数ページメッセージの容量が、移動端末１０ａが受信可能な容量や表示処理可能な容量未満の場合には、制御部２５は、ページ統合メッセージに決定する。あるいは、制御部２５は、ユーザが希望する種類の１ページメッセージに変換してもよい。更に、制御部２５は、デフォルトとして定められた種類の１ページメッセージに変換してもよい。
【００２８】
制御部２５は、ＭＭＳリレー／サーバインタフェース２２から複数ページメッセージを取得すると、直ちに１ページメッセージに変換してメッセージサーバインタフェース２１に入力し、移動端末１０ａへの送信を指示することができる。あるいは、制御部２５は、ＭＭＳリレー／サーバインタフェース２２から取得した複数ページメッセージを、一度、格納先を示すアドレスに対応付けてメッセージ格納部２６に格納してもよい。メッセージ格納部２６は、メッセージを格納するメッセージ格納手段である。メッセージ格納部２６は、格納先を示すアドレスに対応付けて、複数ページメッセージを保持する。格納先を示すアドレスとしては、ＵＲＬ（Uniform  Resource  Locator）アドレスを用いることができる。
【００２９】
この場合、制御部２５は、複数ページメッセージを格納したＵＲＬアドレスを移動端末１０ａに通知するＵＲＬ通知メッセージを作成し、メッセージサーバインタフェース２１に入力する。そして、メッセージサーバインタフェース２１が、ＵＲＬ通知メッセージを移動端末１０ａに送信する。その後、メッセージサーバインフェース２１が、移動端末１０ａから、ＵＲＬ閲覧要求を受信し、制御部２５に入力する。ＵＲＬ閲覧要求は、ＵＲＬアドレスに格納されているメッセージを要求するものであり、複数ページメッセージの格納先を示すＵＲＬアドレスを含む。
【００３０】
制御部２５は、ＵＲＬ閲覧要求に含まれるＵＲＬアドレスに基づいて、メッセージ格納部２６を検索し、複数ページメッセージを取得する。そして、制御部２５は、取得した複数ページメッセージを１ページメッセージに変換して、メッセージサーバインタフェース２１に入力し、移動端末１０ａへの送信を指示する。制御部２５は、このように、移動端末１０ａによるメッセージの要求を受けてから、１ページメッセージへの変換を行うことにより、移動端末１０ａが受信を希望する複数ページメッセージだけを１ページメッセージに変換することができる。よって、メッセージ制御装置２０の制御負荷を軽減できる。
【００３１】
更に、制御部２５は、複数のページ単位メッセージに変換する場合、移動端末１０ａからの次ページ要求に従って、送信済みのページ単位メッセージに含まれるページの次のページを含むページ単位メッセージを、メッセージサーバインタフェース２１に入力し、移動端末１０ａへの送信を指示するようにしてもよい。次ページ要求は、送信済みのページ単位メッセージに含まれるページの次のページを含むページ単位メッセージを要求するものである。
【００３２】
この場合、メッセージサーバインタフェース２１が次ページ要求を移動端末１０ａから受信し、制御部２５に入力する。制御部２５は、このように、移動端末１０ａによる次ページ要求を受けてから、次のページを含むページ単位メッセージを送信することにより、移動端末１０ａが次のページの受信を希望する場合にだけ、次のページを含むページ単位メッセージを送信することができる。よって、移動端末１０ａが受信を希望しないページ単位メッセージの送信を防止して、トラフィックの増大を防止できる。
【００３３】
又、制御部２５は、メッセージサーバインタフェース２１からメッセージ送達通知を取得する。制御部２５は、メッセージ制御装置２０がメッセージ送達通知を受信したときや、ＵＲＬ閲覧要求に応じて１ページメッセージを移動端末１０ａに送信したときに、ＭＭＳ端末３０ａへの送達確認通知を作成する。制御部２５は、作成した送達確認通知をＭＭＳリレー／サーバインタフェース２２に入力し、ＭＭＳ端末３０ａへの送信を指示する。
【００３４】
次に、制御部２５が行うメッセージの変換について、図３〜図６を用いて詳細に説明する。図３にページ統合メッセージに変換する例を示す。複数ページメッセージ１００は、画像データ「図Ａ」とテキストデータ「テキストＡ」を含むページ１０１と、画像データ「図Ｂ」とテキストデータ「テキストＢ」を含むページ１０２と、画像データ「図Ｃ」とテキストデータ「テキストＣ」を含むページ１０３の３ページで構成される。制御部２５は、ページ１０１と、ページ１０２と、ページ１０３とをつなげて１ページのページ１０１ａに変換し、１ページのページ１０１ａで構成されるページ統合メッセージ１００ａに変換する。
【００３５】
次に、制御部２５は、ページ統合メッセージ１００ａに、変換前の複数ページメッセージ１００におけるページ構成を示すページ構成表示を付加する。制御部２５は、ページ統合メッセージ１００ａに、ページ構成表示として、変換前の複数のページで区切る区切り線を付加する。制御部２５は、変換後のページ１０１ａにおける変換前のページ１０１とページ１０２との境界、変換前のページ１０２とページ１０３との境界に、点線の区切り線を付加する。
【００３６】
更に、制御部２５は、ページ統合メッセージ１００ａに、ページ構成表示として、変換前の各ページの開始を示す開始表示、変換前の各ページの終了を示す終了表示を付加する。尚、変換前の最初のページ１０１の開始を示す開始表示と、変換前の最後のページ１０３の終了を示す終了表示は省略してもよい。制御部２５は、変換後のページ１０１ａにおける変換前のページ１０１の終了位置に終了表示（ｅｎｄ  ｏｆ  ｐａｇｅ１）、変換前のページ１０２の開始位置に開始表示（ｓｔａｒｔ  ｏｆ  ｐａｇｅ２）、変換前のページ１０２の終了位置に終了表示（ｅｎｄ  ｏｆ  ｐａｇｅ２）、変換前のページ１０３の開始位置に開始表示（ｓｔａｒｔ  ｏｆ  ｐａｇｅ３）を付加する。このように、開始表示や終了表示は、変換前の複数ページメッセージ１００におけるページ番号を含むことが好ましい。
【００３７】
図４にページ統合メッセージに変換する他の例を示す。制御部２５は、複数ページメッセージ１００に含まれるページ１０１〜１０３毎に、各ページ１０１〜１０３に含まれる画像データとテキストデータとを合成して１つのデータにする。例えば、ページ１０１に含まれる画像データ「図Ａ」中にテキストデータ「テキストＡ」を埋め込むことにより合成する。同様に、ページ１０２に含まれる画像データ「図Ｂ」とテキストデータ「テキストＢ」とを合成し、ページ１０３に含まれる画像データ「図Ｃ」とテキストデータ「テキストＣ」とを合成する。
【００３８】
次に、制御部２５は、各ページ１０１〜１０３を合成したデータを含む１ページのページ１０１ｂに変換し、１ページのページ１０１ｂで構成されるページ統合メッセージ１００ｂに変換する。更に、制御部２５は、ページ１０１ｂを、受信端末装置に表示された際に、自動的に内容が進行するデータ形式に変換する。例えば、制御部２５は、ページ１０１ｂの内容が自動的にスクロールして進行するデータ形式に変換することができる。又、制御部２５は、ページ１０１ｂの内容が、変換前のページ単位で自動的に切り替わって進行するデータ形式に変換してもよい。具体的には、制御部２５は、例えば、「アニメーションＧＩＦ」というデータ形式にページ１０１ｂを変換する。更に、制御部２５は、ページ統合メッセージ１００ｂに、ページ構成表示として、変換後のページ１０１ｂにおける変換前のページ１０１とページ１０２との境界、変換前のページ１０２とページ１０３との境界に、実線の区切り線を付加する。
【００３９】
このように、制御部２５が、ページ統合メッセージ１００ａ，１００ｂに変換する場合には、メッセージの数を増やすことなく変換できる。そのため、トラフィックの増大を抑制できる利点がある。
【００４０】
図５に、ページ単位メッセージに変換する例を示す。制御部２５は、複数ページメッセージ１００を、ページ１０１〜１０３毎に分割し、複数のページ単位メッセージ１１０ｃ，１２０ｃ，１３０ｃに変換する。各ページ単位メッセージ１１０ｃ，１２０ｃ，１３０ｃには、変換前の各ページ１０１〜１０３の内容がページ１０１ｃ〜１０３ｃとして含まれる。
【００４１】
次に、制御部２５は、ページ単位メッセージ１１０ｃ，１２０ｃ，１３０ｃに、ページ構成表示として、変換前の複数ページメッセージ１００におけるページ番号を示すページ番号表示を付加する。ページ番号表示は、複数ページメッセージ１００の全ページ数を含むことが好ましい。制御部２５は、変換後のページ１０１ｃに、変換前のページ１０１のページ番号を示すページ番号表示（ｐａｇｅ１  ｏｆ  ３）、変換後のページ１０２ｃに、変換前のページ１０２のページ番号を示すページ番号表示（ｐａｇｅ２  ｏｆ  ３）、変換後のページ１０３ｃに、変換前のページ１０３のページ番号を示すページ番号表示（ｐａｇｅ３  ｏｆ  ３）を付加する。
【００４２】
図６に、ページ単位メッセージに変換する他の例を示す。制御部２５は、複数ページメッセージ１００を、ページ１０１〜１０３毎に分割し、複数のページ単位メッセージ１１０ｄ，１２０ｄ，１３０ｄに変換する。各ページ単位メッセージ１１０ｄ，１２０ｄ，１３０ｄには、変換前の各ページ１０１〜１０３の内容がページ１０１ｄ〜１０３ｄとして含まれる。
【００４３】
次に、制御部２５は、ページ単位メッセージ１１０ｄ，１２０ｄ，１３０ｄに、ページ構成表示としてページ番号表示を付加する。制御部２５は、変換後のページ１０１ｄに、変換前のページ１０１のページ番号を示すページ番号表示（ｐａｇｅ１  ｏｆ  ３）、変換後のページ１０２ｄに、変換前のページ１０２のページ番号を示すページ番号表示（ｐａｇｅ２  ｏｆ  ３）、変換後のページ１０３ｄに、変換前のページ１０３のページ番号を示すページ番号表示（ｐａｇｅ３  ｏｆ  ３）を付加する。
【００４４】
更に、制御部２５は、ページ単位メッセージ１１０ｄ，１２０ｄに、次ページ要求をメッセージ制御装置２０に送信するための次ページ要求表示を付加する。次ページ要求表示は、受信端末装置のユーザが選択することにより、メッセージ制御装置２０への次ページ要求を、受信端末装置に送信させるものである。制御部２５は、次ページ要求表示として、「ｎｅｘｔ  ｐａｇｅ」ボタンを付加する。「ｎｅｘｔ  ｐａｇｅ」ボタンは、移動端末１０ａのユーザが押して選択することにより、次ページ要求をメッセージ制御装置２０に送信する処理を、移動端末１０ａに行わせるものである。尚、「ｎｅｘｔ  ｐａｇｅ」ボタンは、次ページ要求表示の一例である。
【００４５】
制御部２５は、変換前の複数ページメッセージにおける１ページ目を含むページ単位メッセージ１１０ｄ、２ページ目を含むページ単位メッセージ１２０ｄのような変換前の複数ページメッセージ１００において次のページがあるページ１０１ｄ,１０２ｄを含むページ単位メッセージ１１０ｄ，１２０ｄに、「ｎｅｘｔ  ｐａｇｅ」ボタンを付加する。制御部２５は、ページ１０１ｄ，１０２ｄの最後に「ｎｅｘｔ  ｐａｇｅ」ボタンを付加する。
【００４６】
制御部２５は、ページ単位メッセージ１１０ｄにだけページ構成表示や次ページ要求表示を付加してメッセージサーバインタフェース２１に送信を指示し、移動端末１０ａから次ページ送信指示を受けてから、ページ単位メッセージ１２０ｄにページ構成表示や次ページ要求表示を付加して送信を指示することが好ましい。これによれば、移動端末１０ａが次のページの受信を希望する場合にだけ、次のページを含むページ単位メッセージ１２０ｄにページ構成表示や次ページ要求表示を付加することができる。よって、メッセージ制御装置２０の制御負荷を軽減できる。
【００４７】
このように、制御部２５が、ページ単位メッセージ１１０ｃ，１２０ｃ，１３０ｃ，１１０ｄ，１２０ｄ，１３０ｄに変換する場合には、移動端末１０ａが、受信可能な容量や表示処理可能な容量といった制約から複数ページメッセージを処理できない場合に、対応できる利点がある。又、制御部２５が、変換後のページ統合メッセージ１００ａ，１００ｂや、ページ単位メッセージ１１０ｃ，１２０ｃ，１３０ｃ，１１０ｄ，１２０ｄ，１３０ｄに、変換前の複数ページメッセージ１００におけるページ構成を示すページ構成表示を付加することにより、受信側ではページ構成表示から変換前の複数ページメッセージのページ構成を知ることができる。そのため、メッセージ制御装置２０は、送信側の意思を受信側に伝えることができる。
【００４８】
このようなメッセージ制御装置２０は、コンピュータを、複数ページメッセージを送信端末装置から受信する受信手段と、受信手段が受信した複数ページメッセージを、１ページメッセージに変換する変換手段と、変換手段が変換した１ページメッセージを、受信端末装置に送信する送信手段と、ユーザ情報を記憶するユーザ情報記憶手段と、受信端末装置の性能を記憶する端末情報記憶手段と、メッセージを格納するメッセージ格納手段として機能させるためのメッセージ変換プログラムを、コンピュータに実行させることにより実現できる。
【００４９】
〔メッセージ変換方法〕
図７に、メッセージ制御装置２０が複数ページメッセージをページ統合メッセージに変換するメッセージ変換方法の手順を示す。ＭＭＳ端末３０ａが、ＭＭＳリレー／サーバ３０ｄに、移動端末１０ａへのメッセージの送信を要求する送信要求（MM1_ M_submit.REQ）を送信する（Ｓ１０１）。送信要求には図３〜図６に示した複数ページメッセージ１００が含まれる。複数ページメッセージ１００は、ＭＭＳリレー／サーバ３０ｄに一度蓄積される（Ｓ１０２）。ＭＭＳリレー／サーバ３０ｄは、ＭＭＳ端末３０ａに、送信要求を受信したことを通知する送信応答（MM1_M_submit.RES）を送信する（Ｓ１０３）。
【００５０】
ＭＭＳリレー／サーバ３０ｄは、メッセージ制御装置２０に、メッセージの移動端末１０ａへの転送を要求する転送要求（MM4_Forward.REQ）を送信する（Ｓ１０４）。転送要求には複数ページメッセージ１００が含まれる。ステップ（Ｓ１０１）〜（Ｓ１０４）のようにして、メッセージ制御装置２０は、ＭＭＳリレー／サーバ３０ｄを介してＭＭＳ端末３０ａから複数ページメッセージ１００を受信する。メッセージ制御装置２０は、転送要求を受信したことをＭＭＳリレー／サーバ３０ｄに通知する（Ｓ１０５）。更に、メッセージ制御装置２０は、メッセージを受信し、転送を了承したことを通知する転送応答（MM4_Forward.RES）をＭＭＳリレー／サーバ３０ｄに送信する（Ｓ１０６）。ＭＭＳリレー／サーバ３０ｄは、転送応答を受信したことをメッセージ制御装置２０に通知する（Ｓ１０７）。
【００５１】
メッセージ制御装置２０は、受信した複数ページメッセージ１００を、図３に示したページ統合メッセージ１００ａ、又は、図４に示したページ統合メッセージ１００ｂのいずれかに変換する（Ｓ１０８）。メッセージ制御装置２０は、変換した移動端末１０ａ宛のページ統合メッセージ１００ａ又は１００ｂを、メッセージサーバ１０ｄに送信する。これにより、メッセージ制御装置２０は、移動端末１０ａ宛のメッセージが届いていることをメッセージサーバ１０ｄに通知する着信通知を行う（Ｓ１０９）。メッセージサーバ１０ｄは、ページ統合メッセージ１００ａ又は１００ｂを受信したことをメッセージ制御装置２０に通知する（Ｓ１１０）。ページ統合メッセージ１００ａ又は１００ｂは、メッセージサーバ１０ｄに一度蓄積される（Ｓ１１１）。
【００５２】
メッセージサーバ１０ｄは、移動端末１０ａに、メッセージが届いていることを知らせる着信通知（Message  Notification）を送信する（Ｓ１１２）。着信通知を受信した移動端末１０ａは、メッセージを要求するメッセージ受信要求（HTTP  GET）を、メッセージサーバ１０ｄに送信する（Ｓ１１３）。そして、メッセージサーバ１０ｄは、ページ統合メッセージ１００ａ又は１００ｂを移動端末１０ａに送信する（Ｓ１１４）。ステップ（Ｓ１０９）〜（Ｓ１１４）のようにして、メッセージ制御装置２０は、メッセージサーバ１０ｄを介して移動端末１０ａにページ統合メッセージ１００ａ又は１００ｂを送信する。その結果、移動端末１０ａは、ページ統合メッセージ１００ａ又は１００ｂを受信し、表示することができる。メッセージサーバ１０ｄは、メッセージ送達通知をメッセージ制御装置２０に送信する（Ｓ１１５）。メッセージ制御装置２０は、メッセージ送達通知を受信したことをメッセージサーバ１０ｄに通知する（Ｓ１１６）。
【００５３】
メッセージ送達通知を受信したメッセージ制御装置２０は、ＭＭＳリレー／サーバ３０ｄに、送達確認通知（MM4_delivery_report.REQ）を送信する（Ｓ１１７）。ＭＭＳリレー／サーバ３０ｄは、送達確認通知を受信したことを通知する送達確認通知応答（MM4_delivery_report.RES）をメッセージ制御装置２０に送信する（Ｓ１１８）。そして、ＭＭＳリレー／サーバ３０ｄが、送達確認通知（MM1_delivery_report.REQ）を、ＭＭＳ端末３０ａに送信する（Ｓ１１９）。尚、送達確認通知に関するステップ（Ｓ１１７）〜（Ｓ１１９）の処理は、ステップ（Ｓ１１６）の終了時に限定されず、メッセージ制御装置２０によるページ統合メッセージ１００ａ又は１００ｂの送信終了時であるステップ（Ｓ１１０）の後であっても構わない。送達確認通知に関する処理を行うタイミングは、インプリメンテーション次第である。
【００５４】
図８に、メッセージ制御装置２０が複数ページメッセージをページ統合メッセージに変換するメッセージ変換方法の他の手順を示す。まず、図７に示したステップ（Ｓ１０１）〜（Ｓ１０７）と同様のステップ（Ｓ２０１）〜（Ｓ２０７）が行われる。次に、メッセージ制御装置２０は、受信した複数ページメッセージ１００を、ＵＲＬアドレスに対応付けてメッセージ格納部２６に格納する（Ｓ２０８）。メッセージ制御装置２０は、複数ページメッセージ１００の格納先を示すＵＲＬアドレスを含むＵＲＬ通知メッセージをメッセージサーバ１０ｄに送信して、着信通知を行う（Ｓ２０９）。メッセージサーバ１０ｄは、ＵＲＬ通知メッセージを受信したことをメッセージ制御装置２０に通知する（Ｓ２１０）。ＵＲＬ通知メッセージは、メッセージサーバ１０ｄに一度蓄積される（Ｓ２１１）。
【００５５】
そして、メッセージサーバ１０ｄが着信通知（Message  Notification）を移動端末１０ａに送信し（Ｓ２１２）、移動端末１０ａがメッセージ受信要求（HTTP  GET）をメッセージサーバ１０ｄに送信する（Ｓ２１３）。メッセージサーバ１０ｄは、ＵＲＬ通知メッセージを移動端末１０ａに送信する（Ｓ２１４）。ＵＲＬ通知メッセージを受信した移動端末１０ａはＵＲＬ閲覧操作を行う。ＵＲＬ閲覧操作とは、受信したＵＲＬ通知メッセージに含まれるＵＲＬアドレスを表示したり、ウェブブラウザを起動したりして、ＵＲＬアドレスに格納されているメッセージを要求し、受信して表示するための処理をいう（Ｓ２１５）。
【００５６】
移動端末１０ａは、ＵＲＬ閲覧要求（HTTP  GET）をメッセージ制御装置２０に送信する（Ｓ２１６）。メッセージ制御装置２０は、受信したＵＲＬ閲覧要求に基づいて、メッセージ格納部２６から該当する複数ページメッセージ１００を取得する。メッセージ制御装置２０は、取得した複数ページメッセージ１００を、図３に示したページ統合メッセージ１００ａ、又は、図４に示したページ統合メッセージ１００ｂのいずれかに変換する（Ｓ２１７）。メッセージ制御装置２０は、変換した移動端末１０ａ宛のページ統合メッセージ１００ａ又は１００ｂを、メッセージサーバ１０ｄを介して移動端末１０ａに送信する（Ｓ２１８）。その結果、移動端末１０ａは、ページ統合メッセージ１００ａ又は１００ｂを受信し、表示することができる。
【００５７】
ＵＲＬ閲覧要求に応じてページ統合メッセージ１００ａ又は１００ｂを送信したメッセージ制御装置２０は、ＭＭＳリレー／サーバ３０ｄに、送達確認通知（MM4_delivery_report.REQ）を送信する（Ｓ２１９）。そして、図７に示したステップ（Ｓ１１８）、（Ｓ１１９）と同様のステップ（Ｓ２２０）、（Ｓ２２１）が行われる。
【００５８】
図９に、メッセージ制御装置２０が複数ページメッセージをページ単位メッセージに変換するメッセージ変換方法の手順を示す。まず、図７に示したステップ（Ｓ１０１）〜（Ｓ１０７）と同様のステップ（Ｓ３０１）〜（Ｓ３０７）が行われる。次に、メッセージ制御装置２０は、受信した複数ページメッセージ１００を、図５に示した複数のページ単位メッセージ１１０ｃ，１２０ｃ，１３０ｃに変換する（Ｓ３０８）。メッセージ制御装置２０は、複数ページメッセージ１００における１ページ目を含むページ単位メッセージ１１０ｃをメッセージサーバ１０ｄに送信し、着信通知を行う（Ｓ３０９）。メッセージサーバ１０ｄは、ページ単位メッセージ１１０ｃを受信したことをメッセージ制御装置２０に通知する（Ｓ３１０）。ページ単位メッセージ１１０ｃは、メッセージサーバ１０ｄに一度蓄積される（Ｓ３１１）。
【００５９】
そして、メッセージサーバ１０ｄが移動端末１０ａに着信通知（Message  Notification）を送信し（Ｓ３１２）、移動端末１０ａがメッセージ受信要求（HTTP  GET）をメッセージサーバ１０ｄに送信する（Ｓ３１３）。メッセージサーバ１０ｄは、１ページ目を含むページ単位メッセージ１１０ｃを移動端末１０ａに送信する（Ｓ３１４）。メッセージサーバ１０ｄは、１ページ目を含むページ単位メッセージ１１０ｃについて、メッセージ送達通知をメッセージ制御装置２０に送信する（Ｓ３１５）。メッセージ制御装置２０は、メッセージ送達通知を受信したことをメッセージサーバ１０ｄに通知する（Ｓ３１６）。
【００６０】
メッセージ制御装置２０は、ＭＭＳリレー／サーバ３０ｄに、１ページ目を含むページ単位メッセージ１１０ｃについて、送達確認通知（MM4_delivery_report.REQ）を送信する（Ｓ３１７）。ＭＭＳリレー／サーバ３０ｄは、送達確認通知応答（MM4_delivery_report.RES）をメッセージ制御装置２０に送信する（Ｓ３１８）。そして、ＭＭＳリレー／サーバ３０ｄが、１ページ目を含むページ単位メッセージ１１０ｃについて、送達確認通知（MM1_delivery_report.REQ）を、ＭＭＳ端末３０ａに送信する（Ｓ３１９）。
【００６１】
１ページ目を含むページ単位メッセージ１１０ｃを送信したメッセージ制御装置２０は、次に、複数ページメッセージ１００における２ページ目を含むページ単位メッセージ１２０ｃをメッセージサーバ１０ｄに送信し、着信通知を行う（Ｓ３２０）。メッセージサーバ１０ｄは、ページ単位メッセージ１２０ｃを受信したことをメッセージ制御装置２０に通知する（Ｓ３２１）。ページ単位メッセージ１２０ｃは、メッセージサーバ１０ｄに一度蓄積される（Ｓ３２２）。そして、メッセージサーバ１０ｄが移動端末１０ａに着信通知（Message  Notification）を送信し（Ｓ３２３）、移動端末１０ａがメッセージ受信要求（HTTP  GET）をメッセージサーバ１０ｄに送信する（Ｓ３２４）。メッセージサーバ１０ｄは、２ページ目を含むページ単位メッセージ１２０ｃを移動端末１０ａに送信する（Ｓ３２５）。
【００６２】
更に、２ページ目を含むページ単位メッセージ１２０ｃを送信したメッセージ制御装置２０は、複数ページメッセージ１００における３ページ目を含むページ単位メッセージ１３０ｃをメッセージサーバ１０ｄに送信し、着信通知を行う（Ｓ３２６）。メッセージサーバ１０ｄは、ページ単位メッセージ１３０ｃを受信したことをメッセージ制御装置２０に通知する（Ｓ３２７）。ページ単位メッセージ１３０ｃは、メッセージサーバ１０ｄに一度蓄積される（Ｓ３２８）。そして、メッセージサーバ１０ｄが移動端末１０ａに着信通知（Message  Notification）を送信し（Ｓ３２９）、移動端末１０ａがメッセージ受信要求（HTTP  GET）をメッセージサーバ１０ｄに送信する（Ｓ３３０）。メッセージサーバ１０ｄは、３ページ目を含むページ単位メッセージ１３０ｃを移動端末１０ａに送信する（Ｓ３３１）。
【００６３】
ステップ（Ｓ３０９）〜（Ｓ３１４）、（Ｓ３２０）〜（Ｓ３３１）のようにして、メッセージ制御装置２０は、メッセージサーバ１０ｄを介して移動端末１０ａに複数のページ単位メッセージ１１０ｃ，１２０ｃ，１３０ｃを送信する。その結果、移動端末１０ａは、複数のページ単位メッセージ１１０ｃ，１２０ｃ，１３０ｃを受信し、表示することができる。尚、図９では図示を省略しているが、ステップ（Ｓ３１５）〜（Ｓ３１９）のようなメッセージ送達通知や送達確認通知に関する処理は、２ページ目を含むページ単位メッセージ１２０ｃ、３ページ目を含むページ単位メッセージ１３０ｃについても行われる。又、送達確認通知に関するステップ（Ｓ３１７）〜（Ｓ３１９）の処理は、ステップ（Ｓ３１６）の終了時に限定されず、メッセージ制御装置２０による１ページ目を含むページ単位メッセージ１１０ｃの送信終了時であるステップ（Ｓ３１０）の後や、３ページ目を含むページ単位メッセージ１３０ｃの送信終了時であるステップ（Ｓ３２７）の後であっても構わない。送達確認通知に関する処理を行うタイミングは、インプリメンテーション次第である。
【００６４】
更に、メッセージ制御装置２０は、前のページを含むページ単位メッセージのメッセージ送達通知を受信してから、次のページを含むページ単位メッセージをメッセージサーバ１０ｄに送信するようにしてもよい。又、図９では、メッセージ制御装置２０は、ページ単位メッセージを、複数ページメッセージ１００におけるページ毎に分けてメッセージサーバ１０ｄに送信しているが（Ｓ３０９）、（Ｓ３２０）、（Ｓ３２６）、複数ページメッセージ１００における全てのページのページ単位メッセージを、まとめてメッセージサーバ１０ｄに送信してもよい。
【００６５】
図１０に、メッセージ制御装置２０が複数ページメッセージをページ単位メッセージに変換するメッセージ変換方法の他の手順を示す。まず、図８に示したステップ（Ｓ２０１）〜（Ｓ２１６）と同様のステップ（Ｓ４０１）〜（Ｓ４１６）が行われる。次に、メッセージ制御装置２０は、受信したＵＲＬ閲覧要求に基づいて、メッセージ格納部２６から該当する複数ページメッセージ１００を取得する。メッセージ制御装置２０は、取得した複数ページメッセージ１００を、図６に示した複数のページ単位メッセージ１１０ｄ，１２０ｄ，１３０ｄに変換する（Ｓ４１７）。メッセージ制御装置２０は、複数ページメッセージ１００における１ページ目を含むページ単位メッセージ１１０ｄを、メッセージサーバ１０ｄを介して移動端末１０ａに送信する（Ｓ４１８）。
【００６６】
ページ単位メッセージ１１０ｄを受信した移動端末１０ａは、ユーザがページ単位メッセージ１１０ｄに付加されている「ｎｅｘｔ  ｐａｇｅ」ボタンを押して選択することにより、次ページ要求をメッセージ制御装置２０に送信する（Ｓ４１９）。メッセージ制御装置２０は、移動端末１０ａからの次ページ要求に従って、次の２ページ目を含むページ単位メッセージ１２０ｄを移動端末１０ａに送信する（Ｓ４２０）。
【００６７】
更に、ページ単位メッセージ１２０ｄを受信した移動端末１０ａは、ユーザがページ単位メッセージ１２０ｄに付加されている「ｎｅｘｔ  ｐａｇｅ」ボタンを押して選択することにより、次ページ要求をメッセージ制御装置２０に送信する（Ｓ４２１）。メッセージ制御装置２０は、移動端末１０ａからの次ページ要求に従って、次の３ページ目を含むページ単位メッセージ１３０ｄを移動端末１０ａに送信する（Ｓ４２２）。
【００６８】
ＵＲＬ閲覧要求、次ページ要求に応じてページ単位メッセージ１１０ｄ、１２０ｄ、１３０ｄを送信したメッセージ制御装置２０は、ＭＭＳリレー／サーバ３０ｄに、送達確認通知（MM4_delivery_report.REQ）を送信する（Ｓ４２３）。そして、図７に示したステップ（Ｓ１１８）、（Ｓ１１９）と同様のステップ（Ｓ４２４）、（Ｓ４２５）が行われる。
【００６９】
ステップ（Ｓ４１８）、（Ｓ４２０）、（Ｓ４２２）により、移動端末１０ａは、複数のページ単位メッセージ１１０ｄ，１２０ｄ，１３０ｄを受信し、表示することができる。尚、図１０では、メッセージ制御装置２０は、全てのページ単位メッセージ１１０ｄ，１２０ｄ，１３０ｄを送信してから、送達確認通知を送信しているが、各ページ単位メッセージの送信毎に、各ページについて送達確認通知を送信してもよい。
【００７０】
〔効果〕
このような通信システム１、メッセージ制御装置２０、メッセージ変換プログラム、メッセージ変換方法によれば、送信端末装置であるＭＭＳ端末３０ａから送信された複数ページメッセージを受信して１ページメッセージに変換し、変換後の１ページメッセージを受信端末装置である移動端末１０ａに送信できる。そのため、複数ページメッセージを処理できない移動端末１０ａであっても、メッセージ制御装置２０から変換後の１ページメッセージを受信して表示することにより、ＭＭＳ端末３０ａから送信された複数ページメッセージの内容を表示することができる。
【００７１】
特に、メッセージ制御装置２０は、複数ページメッセージを採用しない第１メッセージングシステム１０と、複数ページメッセージを採用する第２メッセージングシステム３０のように異なるシステムを接続して、受信端末装置である移動端末１０ａが表示可能なようにメッセージを送信できる。又、メッセージ制御装置２０は、移動端末１０ａのように、複数ページメッセージの表示処理だけでなく、受信処理もできない受信端末装置に対して複数ページメッセージが送信される場合に対応できる利点がある。
【００７２】
〔変更例〕
本発明は、上記実施の形態に限定されるものではなく、種々の変更が可能である。例えば、移動端末１０ａに代えて、図１１に示す移動端末２１０ａを用いることができる。移動端末２１０ａは、複数ページメッセージを受信することはできるが、表示処理はできない。移動端末２１０ａは、複数ページメッセージを送信端末装置から受信し、受信した複数ページメッセージを１ページメッセージに変換して表示する端末装置である。移動端末２１０ａは、通信部１１と、制御部１２と、記憶部１３と、入力部１４と、表示部１５とを備える。
【００７３】
通信部１１は、複数ページメッセージを送信端末装置から受信する受信手段である。通信部１１は、無線基地局１０ｂを介して移動通信網１０ｃに接続し、メッセージサーバ１０ｄとメッセージなどを送受信する。そして、通信部１１は、メッセージサーバ１０ｄを介して、ＭＭＳ端末３０ａやメッセージ制御装置２０とメッセージを送受信する。通信部１１は、受信した複数ページメッセージを制御部１２に入力する。
【００７４】
記憶部１３は、移動端末２１０ａの性能、移動端末２１０ａのユーザが希望する１ページメッセージの種類、メッセージなどを記憶する記憶手段である。入力部１４は、移動端末２１０ａのユーザからの入力内容を取得し、制御部１２に入力する入力手段である。ユーザは、入力部１４を用いて希望する１ページメッセージの種類、メッセージの表示の指示などを移動端末２１０ａに入力する。入力部１４は、キーやマイクなどを用いることができる。
【００７５】
制御部１２は、受信手段が受信した複数ページメッセージを、１ページメッセージに変換する変換手段である。制御部１２は、図２に示したメッセージ制御装置２０の制御部２５と同様にして、図３〜図５に示したように、複数ページメッセージ１００を、ページ統合メッセージ１００ａ，１００ｂや、ページ単位メッセージ１１０ｃ，１２０ｃ，１３０ｃ，１１０ｄ，１２０ｄ，１３０ｄのような１ページメッセージに変換する。
【００７６】
制御部１２は、通信部１１から、ＭＭＳ端末３０ａから受信した複数ページメッセージを取得する。又、制御部１２は、記憶部１３から、移動端末２１０ａの性能やユーザが希望する１ページメッセージの種類を取得する。あるいは、制御部１２は、入力部１４から、ユーザが希望する１ページメッセージの種類を取得してもよい。制御部１２は、変換した１ページメッセージを表示部１５に入力する。表示部１５は、変換手段が変換した１ページメッセージを表示する表示手段である。表示部１５は、制御部１２から変換後の１ページメッセージを取得し、表示する。表示部１５は、ディスプレイなどを用いることができる。
【００７７】
制御部１２は、取得した複数ページメッセージをそのまま記憶部１３に格納してもよく、１ページメッセージに変換してから記憶部１３に格納してもよい。制御部１２は、複数ページメッセージを記憶部１３に格納する場合、入力部１４からユーザによるメッセージの表示の指示を取得したときに、記憶部１３から複数ページメッセージを取得して１ページメッセージに変換し、表示部１５に入力する。又、制御部１２は、複数のページ単位メッセージに変換する場合には、入力部１４から、ユーザによる次のページを含むメッセージの表示の指示を取得したときに、表示済みのページ単位メッセージに含まれるページの次のページを含むページ単位メッセージを表示部１５に入力する。
【００７８】
尚、このような移動端末２１０ａを用いる場合、メッセージ制御装置２０は、複数ページメッセージから１ページメッセージへの変換を行うことなく、第１メッセージングシステム１０と第２メッセージングシステム３０との間でメッセージを中継すればよい。あるいは、ＭＭＳリレー／サーバ３０ｄとメッセージサーバ１０ｄが直接メッセージを送受信してもよい。
【００７９】
このような移動端末２１０ａは、コンピュータを、複数ページメッセージを送信端末装置から受信する受信手段と、受信手段が受信した複数ページメッセージを１ページメッセージに変換する変換手段と、変換手段が変換した１ページメッセージを表示する表示手段と、記憶手段と、入力手段として機能させるためのメッセージ変換プログラムを、コンピュータに実行させることにより実現できる。
【００８０】
このような移動端末２１０ａによれば、送信端末装置であるＭＭＳ端末３０ａから送信された複数ページメッセージを受信して１ページメッセージに変換し、変換後の１ページメッセージを表示できる。そのため、複数ページメッセージの表示処理をできない移動端末１０ａであっても、変換して１ページメッセージを表示することにより、ＭＭＳ端末３０ａから送信された複数ページメッセージの内容を表示することができる。特に、移動端末２１０ａは、複数ページメッセージから１ページメッセージへの変換を行うメッセージ制御装置２０が設けられていない場合にも対応できる利点がある。
【００８１】
又、上記実施形態では、第１メッセージングシステム１０は、複数ページメッセージを採用していないが、第１メッセージングシステム１０は、複数ページメッセージと１ページメッセージを併用することもできる。この場合、移動端末１０ａは、複数ページメッセージを処理可能な機種と、複数ページメッセージを処理できない機種とが混在する。そのため、端末情報データベース２４は、移動端末１０ａ毎に、その機種によって複数ページメッセージ処理の可否を記憶する。又、制御部２５は、受信端末装置である移動端末１０ａが複数ページメッセージを処理でき、１ページメッセージへの変換を行わないと判断した場合には、複数ページメッセージをメッセージサーバインタフェース２１に入力して、移動端末１０ａへの送信を指示する。
【００８２】
更に、ページ構成表示は、変換前の複数ページメッセージにおけるページ構成を示すものであり、送信側の意思を受信側に伝えることができるものであれば、区切り線、開始表示、終了表示、ページ番号表示に限定されない。又、図３〜図６に示した１ページメッセージでは、ページ中にページ構成表示が付加されているが、ページ構成表示は１ページメッセージに付加されていればよい。例えば、１ページメッセージの件名にページ番号表示を付加してもよい。
【００８３】
又、図１に示した通信システム１では、第１メッセージングシステム１０、第２メッセージングシステム３０から独立して、第１メッセージングシステム１０と第２メッセージングシステム３０の間にメッセージ制御装置２０を設置しているが、メッセージ制御装置２０を、第１メッセージングシステム１０、第２メッセージングシステム３０のいずれかのシステム内に設置してもよい。更に、メッセージサーバ１０ｄ、ＭＭＳリレー／サーバ３０ｄのいずれかと、メッセージ制御装置２０とを一体で構成してもよい。又、受信端末装置、送信端末装置の種類は、ＭＭＳ端末３０ａや移動端末１０ａ，２１０ａに限定されない。更に、制御部２５は、ＭＭＳリレー／サーバインタフェース２２から複数ページメッセージを取得した際に１ページメッセージに変換して、変換後の１ページメッセージをメッセージ格納部２６に格納してもよい。
【００８４】
更に、メッセージ制御装置２０は複数ページメッセージを受信したときに、受信端末装置が複数ページメッセージを処理できない場合は、以下のような処理を行ってもよい。まず、メッセージ制御装置２０は、受信端末装置が複数ページメッセージを処理できないことを通知するメッセージを作成し、送信端末装置に送信する。更に、メッセージ制御装置２０は、受信端末装置宛の複数ページメッセージを受信したが送信できないことを通知するメッセージを作成し、受信端末装置に送信する。そして、メッセージ制御装置２０は、受信した複数ページメッセージを破棄する。又、メッセージ制御装置２０は、複数ページメッセージに添付ファイルが含まれている場合には、その添付ファイルのみを受信端末装置に送信してもよい。
【図面の簡単な説明】
【００８５】
【図１】本発明の実施の形態に係る通信システムの構成を示す図である。
【図２】本発明の実施の形態に係るメッセージ制御装置の構成を示すブロック図である。
【図３】本発明の実施の形態に係るページ統合メッセージへの変換を示す図である。
【図４】本発明の実施の形態に係るページ統合メッセージへの変換の他の例を示す図である。
【図５】本発明の実施の形態に係るページ単位メッセージへの変換を示す図である。
【図６】本発明の実施の形態に係るページ単位メッセージへの変換の他の例を示す図である。
【図７】本発明の実施の形態に係るページ統合メッセージに変換するメッセージ変換方法の手順を示すフロー図である。
【図８】本発明の実施の形態に係るページ統合メッセージに変換するメッセージ変換方法の他の手順を示すフロー図である。
【図９】本発明の実施の形態に係るページ単位メッセージに変換するメッセージ変換方法の手順を示すフロー図である。
【図１０】本発明の実施の形態に係るページ単位メッセージに変換するメッセージ変換方法の他の手順を示すフロー図である。
【図１１】本発明の変更例に係る移動端末の構成を示すブロック図である。
【符号の説明】
【００８６】
１  通信システム
１０  第１メッセージングシステム
１０ａ，２１０ａ  移動端末
１０ｂ，３０ｂ  無線基地局
１０ｃ，３０ｃ  移動通信網
１０ｄ  メッセージサーバ
１１  通信部
１２  制御部
１３  記憶部
１４  入力部
１５  表示部
２０  メッセージ制御装置
２１  メッセージサーバインタフェース
２２  ＭＭＳリレー／サーバインタフェース
２３  ユーザ情報データベース
２４  端末情報データベース
２５  制御部
２６メッセージ格納部
３０  第２メッセージングシステム
３０ａ  ＭＭＳ端末
３０ｄ  ＭＭＳリレー／サーバ
【図１】
2005115839.tif 000003
【図２】
2005115839.tif 000004
【図３】
2005115839.tif 000005
【図４】
2005115839.tif 000006
【図５】
2005115839.tif 000007
【図６】
2005115839.tif 000008
【図７】
2005115839.tif 000009
【図８】
2005115839.tif 000010
【図９】
2005115839.tif 000011
【図１０】
2005115839.tif 000012
【図１１】
2005115839.tif 000013